(57)【要約】【課題】ノイズ消去適応率を外部ブロッカによって低減されることなく、受信信号における送信器ノイズ漏洩を費用効率的に高く最小にすることができる低電力の小型化されたＲＦノイズ消去回路を提供する。【解決手段】送信器ノイズ消去が、チャネルごとに、受信器で受信された入力無線周波数信号のアクティブチャネルに適用され得る。ノイズ消去フィルタが、所定の信号帯域内のそれぞれのアクティブチャネルに提供され得る。受信帯域全体ではなくアクティブチャネルごとにノイズ消去を適用することは、フィルタリング要件およびフィルタ係数またはタップの数を実質的に減少させて、節電し、かつ製造費用を削減することができる。チャネル化された送信器ノイズキャンセラ、多重送受信器の交差結合キャンセラ、ならびにハイブリッドの全信号帯域およびチャネル化された送信器ノイズキャンセラもまた提供される。【選択図】図１
2014179986.tif 000002
【特許請求の範囲】
【請求項１】
別個の出力で、受信された入力無線周波数信号および送信された送出無線周波数信号をチャネル化するチャネライザと、
前記入力無線周波数信号のそれぞれのアクティブチャネルに対する消去フィルタであって、それぞれの消去フィルタが、前記それぞれのアクティブチャネルに対して前記チャネライザの出力に結合され、それぞれの消去フィルタが、それぞれのアクティブ入力チャネルで前記送出信号からの送信ノイズを推定および消去するように構成される、消去フィルタと、を備える、回路。
【請求項２】
送信器と、
受信器と、
前記受信器および前記チャネライザに結合されるアナログ／デジタル変換器（ＡＤＣ）であって、前記チャネライザがデジタルダウンコンバータである、アナログ／デジタル変換器（ＡＤＣ）と、
前記受信器と前記ＡＤＣとの間に結合されるミキサであって、前記入力無線周波数信号を発振信号と混合する、ミキサと、
前記受信器と前記ミキサとの間に結合される無線周波数増幅器および帯域通過フィルタと、
前記ミキサと前記ＡＤＣとの間に結合される低域通過フィルタと、をさらに備える、請求項１に記載の回路。
【請求項３】
複数のアナログ／デジタル変換器（ＡＤＣ）およびチャネライザをさらに備え、
第１のＡＤＣが、前記入力信号を処理するために第１のチャネライザに結合され、
第２のＡＤＣが、前記送出信号を処理するために第２のチャネライザに結合され、
それぞれの消去フィルタが、減算器に結合されるフィルタステージを含み、
それぞれのアクティブチャネルに対する前記減算器が、前記第１のＤＤＣのそれぞれのチャネル出力に結合され、
それぞれのアクティブチャネルに対する前記フィルタステージが、前記第２のＤＤＣのそれぞれのチャネル出力に結合される、請求項１に記載の回路。
【請求項４】
前記第１のＡＤＣに結合される第１のミキサであって、前記入力無線周波数信号を発振信号と混合する、第１のミキサと、
前記第２のＡＤＣに結合される第２のミキサであって、前記送出信号を前記発振信号と混合する、第２のミキサと、
入力信号源と前記第１のミキサとの間に結合される無線周波数増幅器および第１の帯域通過フィルタと、
前記第２のミキサに結合される第２の帯域通過フィルタと、をさらに備え、前記チャネライザが、多相高速フーリエ変換に基づくチャネライザである、請求項３に記載の回路。
【請求項５】
前記第１のミキサおよび前記第１のＡＤＣに結合される第１の低域通過フィルタと、
前記第２のミキサおよび前記第２のＡＤＣに結合される第２の低域通過フィルタと、をさらに備え、前記チャネライザが、直交周波数分割多重（ＯＦＤＭ）の多重変換器である、請求項４に記載の回路。
【請求項６】
前記それぞれのアクティブチャネルに対する前記減算器の出力に結合される、それぞれのアクティブチャネルに対する共通チャネルフィルタをさらに備える、請求項３に記載の回路。
【請求項７】
前記それぞれのアクティブチャネルに対する前記減算器と前記第１のＤＤＣの前記それぞれのチャネル出力との間に結合される、それぞれのアクティブチャネルに対する第１のチャネルフィルタと、
前記それぞれのアクティブチャネルに対する前記フィルタステージと前記第２のＤＤＣの前記それぞれのチャネル出力との間に結合される、それぞれのアクティブチャネルに対する第２のチャネルフィルタと、をさらに備える、請求項３に記載の回路。
【請求項８】
それぞれのアクティブチャネルに対する前記第１および第２のチャネルフィルタに結合され、かつ前記それぞれのアクティブチャネルに対する計算された誤差に基づいてそれぞれのアクティブチャネルの前記フィルタステージに対する更新されたフィルタ係数を生成する、最小平均平方誤差推定器、をさらに備える、請求項７に記載の回路。
【請求項９】
前記送出信号および前記入力信号の二乗平均平方根（ＲＭＳ）電力を比較し、かつ前記比較されたＲＭＳ電力の差が閾値を超えるときに最小平均平方誤差推定器を作動させるための論理を含む比較器であって、前記作動させることが、少なくとも１つのアクティブチャネルの前記フィルタステージに対する更新されたフィルタ係数を生成するように前記推定器を動作させる、比較器を、をさらに備える、請求項８に記載の回路。
【請求項１０】
前記消去フィルタは、前記更新されたフィルタ係数を記憶するメモリを含む、請求項９に記載の回路。
【請求項１１】
前記第２のＡＤＣおよび前記第２のＤＤＣに結合される全帯域ノイズフィルタと、
前記全帯域ノイズフィルタ、前記第１のＡＤＣ、および前記第１のＤＤＣに結合される全帯域ノイズ減算器と、
前記全帯域ノイズフィルタおよびそれぞれの消去フィルタに結合される制御ユニットであって、前記全帯域ノイズフィルタおよびそれぞれの消去フィルタを選択的に作動および停止させるように構成される、制御ユニットと、をさらに備える、請求項３に記載の回路。
【請求項１２】
前記制御ユニットは、アクティブチャネルが信号帯域の隣接する領域にわたって集中させられるときに前記全帯域フィルタを作動させることと、アクティブチャネルが前記信号帯域にわたって隣接せずに拡散されるときにそれぞれの消去フィルタを作動させることとを切り替えるように構成される、請求項１１に記載の回路。
【請求項１３】
前記全帯域ノイズフィルタおよび前記第１のＤＤＣに結合され、かつ前記入力信号の全信号帯域にわたってフィルタ係数を推定する第１の推定器を含む、全帯域フィルタ適応ユニットと、
それぞれの消去フィルタ、前記第１のＤＤＣ、および前記第２のＤＤＣに結合され、かつチャネルのうちの少なくとも１つに対して前記チャネルごとに少なくとも１つのフィルタ係数を推定する第２の推定器を含む、チャネルフィルタ適応ユニットと、をさらに備える、請求項１１に記載の回路。
【請求項１４】
ｎ≧２個の数の請求項３に記載の回路を備える多重送受信器のノイズ消去回路であって、前記ｎ個の請求項３に記載の回路のそれぞれが、
それぞれのアクティブチャネルに対するｎ個の消去フィルタを含み、
それぞれのアクティブチャネルに対する前記ｎ個の消去フィルタの前記フィルタステージのそれぞれが、前記それぞれの回路に対する前記第２のチャネライザの前記それぞれのチャネル出力に結合され、
それぞれのアクティブチャネルに対するそれぞれの消去フィルタの前記減算器が、前記それぞれの回路に対する前記第１のチャネライザの前記それぞれのチャネル出力に結合される、多重送受信器ノイズ消去回路。
【請求項１５】
複数の受信器であって、それぞれが、それぞれのアナログ／デジタル変換器（ＡＤＣ）およびそれぞれのデジタルダウンコンバータ（ＤＤＣ）に結合される、複数の受信器と、
複数の送信器であって、それぞれもまた、それぞれのアナログ／デジタル変換器（ＡＤＣ）およびそれぞれのデジタルダウンコンバータ（ＤＤＣ）に結合される、複数の送信器と、
前記送信チャネライザおよび前記受信チャネライザのそれぞれの間に結合される少なくとも１つの消去フィルタを有する複数の消去フィルタと、を備える、ノイズ消去回路。
【請求項１６】
受信器で受信された入力無線周波数（ＲＦ）信号および送信のための送出ＲＦ信号をチャネル化することと、
前記チャネル化された入力ＲＦ信号のそれぞれのアクティブチャネルを識別することと、
ノイズ消去フィルタを前記チャネル化された入力および送出ＲＦ信号のそれぞれの識別されたアクティブチャネルにのみ適用することと、を含む、方法。
【請求項１７】
前記入力および前記出力信号を発振信号と混合することと、
前記混合された信号のそれぞれをデジタル化することと、
前記デジタル化された信号のそれぞれをデジタル処理でダウンコンバートすることと、
前記デジタル化された信号のそれぞれをチャネル化することと、
前記ノイズ消去フィルタを前記チャネル化されたダウンコンバートされた信号の前記識別されたアクティブチャネルにのみ適用することと、をさらに含む、請求項１６に記載の方法。
【請求項１８】
前記デジタル化された信号は、前記デジタルダウンコンバージョンの一部としてチャネル化される、請求項１７に記載の方法。
【請求項１９】
別個のノイズ消去フィルタをそれぞれのチャネルに提供することをさらに含む、請求項１７に記載の方法。
【請求項２０】
前記ノイズ消去フィルタを適用する前に、チャネルフィルタを前記チャネル化されたダウンコンバートされた信号のそれぞれに適用することと、
前記入力信号の二乗平均平方根（ＲＭＳ）電力を前記送出信号と比較することと、
前記比較されたＲＭＳ電力の差が閾値を超えるとき、それぞれのチャネルに対する前記チャネルフィルタリングされた入力および出力ダウンコンバートされた信号の最小平均平方誤差を計算することと、
前記計算された最小平均平方誤差に基づいて少なくとも１つのチャネルに提供される前記ノイズ消去フィルタに対するフィルタ係数を更新することと、をさらに含む、請求項１９に記載の方法。
【請求項２１】
受信信号の帯域にわたって送信器ノイズ漏洩を推定するように構成されるフィルタ係数を有するノイズ消去フィルタと、
前記帯域の少なくとも１つのサブバンドに対してサブバンドに基づいて少なくとも１つのフィルタ係数を推定するサブバンド適応ユニットと、
前記サブバンド適応ユニットに結合され、かつそれぞれのサブバンドにおけるそれぞれの推定されたフィルタ係数から全帯域にわたって推定されたフィルタ係数を生成するシンセサイザと、を備え、前記ノイズ消去フィルタの少なくとも１つのフィルタ係数が、前記全帯域にわたる前記推定されたフィルタ係数に基づいて更新される、回路。
【請求項２２】
前記サブバンド適応ユニット内で、前記帯域の少なくとも１つのサブバンドに対する周波数領域で前記サブバンドに基づいてそれぞれのフィルタ係数を推定する、周波数領域適応フィルタと、
前記シンセサイザ内で、それぞれのサブバンドに対する前記周波数領域で前記推定されたフィルタ係数（複数可）を時間領域で前記全帯域にわたる前記推定されたフィルタ係数に変換する、逆高速フーリエ変換モジュールと、をさらに備える、請求項２１に記載の回路。
【請求項２３】
前記サブバンド適応ユニットに結合され、かつ前記ノイズ消去フィルタに入力された前記受信信号および送信信号を前記少なくとも１つのサブバンドに分割する、チャネライザと、
前記チャネライザによって出力された前記分割された受信信号および前記分割された送信信号を記憶する、バッファと、をさらに備える、請求項２１に記載の回路。
【請求項２４】
前記チャネライザ内で、１つのサブバンドずつ、前記受信信号および前記送信信号を連続的にダウンコンバートおよびチャネル化する、シリアルデジタルダウンコンバータおよびチャネルフィルタと、
前記チャネル化された受信および送信信号の対応セクションが時間的に整合されるまで前記チャネル化された受信信号および前記チャネル化された送信信号を遅延させる、整合モジュールと、をさらに備える、請求項２３に記載の回路。
【請求項２５】
送信器と、
受信器と、
前記受信器および前記サブバンド適応ユニットに結合される第１のアナログ／デジタル変換器（ＡＤＣ）と、
前記送信器、前記サブバンド適応ユニット、および前記ノイズ消去フィルタに結合される、第２のアナログ／デジタル変換器（ＡＤＣ）と、
前記第１のＡＤＣおよび前記ノイズ消去フィルタに結合される減算器と、
前記受信器と前記第１のＡＤＣとの間に結合される第１のミキサであって、前記入力無線周波数信号を発振信号と混合する、第１のミキサと、
前記送信器と前記第２のＡＤＣとの間に結合される第２のミキサであって、前記入力無線周波数信号を発振信号と混合する、第２のミキサと、
前記受信器と前記第１のミキサとの間に結合される無線周波数増幅器および第１の帯域通過フィルタと、
前記第１のミキサと前記第１のＡＤＣとの間に結合される第１の低域通過フィルタと、
前記送信器と前記第２のミキサとの間に結合される第２の帯域通過フィルタと、
前記第２のミキサと前記第２のＡＤＣとの間に結合される第２の低域通過フィルタと、をさらに備える、請求項２１に記載の回路。
【請求項２６】
信号帯域の少なくとも１つのサブバンドに対してサブバンドに基づいて前記信号帯域にわたる送信器ノイズを消去するフィルタのフィルタ係数を推定することと、
それぞれのサブバンドに対する前記推定されたフィルタ係数を前記信号帯域にわたるフィルタ係数に変換することと、
前記信号帯域にわたる前記変換されたフィルタ係数に基づいて前記フィルタの少なくとも１つのフィルタ係数を更新することと、を含む、方法。
【請求項２７】
周波数領域内の前記サブバンドに基づいて前記フィルタのそれぞれのフィルタ係数を推定することと、
逆フーリエ変換を前記周波数領域内のそれぞれのサブバンドに対するそれぞれの推定されたフィルタ係数に適用することと、
前記適用された逆フーリエ変換から時間領域内の前記信号帯域にわたるフィルタ係数を計算することと、をさらに含む、請求項２６に記載の方法。
【発明の詳細な説明】
【技術分野】
【０００１】
本発明は、無線周波数（ＲＦ）送受信器の分野に関する。
【背景技術】
【０００２】
無線周波数（ＲＦ）送受信器およびトランシーバは、ＲＦ信号を送信および受信の両方を行うことができる。典型的に、送信帯域および受信帯域は、送出する送信器信号からの受信器における干渉を最小限にするように互いにオフセットされている。弾性表面波（ＳＡＷ）フィルタ等の特殊なフィルタの使用など、他の干渉低減技法はまた、送信信号からの不要な周波数成分を除去し、受信器における干渉を低減するために使用されている。
【発明の概要】
【発明が解決しようとする課題】
【０００３】
現在多くのトランシーバは、デジタルプレディストーション技法を使用して、増幅器からより多くの使用可能な電力を生成し、より多くの電力を消費するより大きな増幅器の必要性を回避する。しかしながら、これらのデジタルプレディストーション技法の使用によって、受信器において、さらなる送信器ノイズの受信信号への漏洩が引き起こされた。さらなるノイズ漏洩は、送信帯域と受信帯域とのより良い絶縁を達成するためにデュプレクサの大きさを増大させることによって低減された。しかしながら、電話、タブレット、および他のＲＦデバイスなどの無線デバイスがより小さく、より安価になるにつれて、これらのより大きく、より高価なデュプレクサは非実用的になった。
【０００４】
このさらなる送信器ノイズを低減するために、送信信号帯域全体に広がるノイズ消去フィルタが、受信信号への漏洩が予想された送信信号からノイズを推定するために送信器で送信された信号のコピーに適用された。その結果、この消去フィルタには、製造するのに非常に高価な多数のタップまたはフィルタ係数を設定することが必要になった。この多数のタップを提供およびプログラムするのに必要とされる費用およびリソースのために、多くの低費用用途が非実用的となる。加えて、これらのタップのそれぞれが、タップの数が増加するにつれて、タップによる総電力消費もまた増加されるように電力を供給されなければならず、多数のタップを低電力用途に使用することが非実用的になっている。
【０００５】
全帯域ノイズ消去フィルタ性能はまた、外部ブロッカによっても低下させられた。外部ブロッカは、受信器帯域内ではあるがあらゆるアクティブチャネル内ではない信号を含むことができる。例えば、セルラー方式では、外部ブロッカは、所定の帯域内の異なるチャネルで別のオペレータの信号を含むことができる。全帯域ノイズ消去フィルタは、外部ソースからのこれらのさらなる信号が送信信号に含まれないためそれらをノイズと見なし、このさらなるノイズは、このさらなるノイズによる全帯域ノイズ消去フィルタの収束率を減速させた。これらの外部ブロッカはまた、フィルタ係数が全帯域フィルタのノイズ消去能力を改善するように調節された適応プロセス中に遅延および誤差を引き起こした。
【０００６】
いくつかの場合では、ノイズ消去フィルタは、受信器回路のデジタルフロントエンドから独立するように設計されている。これは、特殊信号処理を受信された入力信号に適用するために、独自のカスタマイズされたデジタルフロントエンド器具を使用するのを好むユーザがいることにより行われた。デジタルフロントエンド回路は、デジタルダウンコンバータ、チャネル特定のフィルタ、および特定の用途にカスタマイズされた他の信号処理ブロックを含むことができる。
【０００７】
ノイズ消去適応率を外部ブロッカによって低減されることなく、受信信号における送信器ノイズ漏洩を費用効率的に高く最小にすることができる低電力の小型化されたＲＦノイズ消去回路の必要性が存在する。いくつかの場合では、顧客がカスタマイズされた信号処理機能をデジタル化された受信信号に適用することができるように独立したデジタルフロントエンドであるノイズ消去回路の必要性も存在する。
【課題を解決するための手段】
【０００８】
上記課題を、本願明細書に記載の発明により解決する。
【図面の簡単な説明】
【０００９】
【図１】図１は、一実施形態における第１の例示的な回路を示す。
【図２】図２は、一実施形態における第２の例示的な回路を示す。
【図３】図３は、一実施形態における第３の例示的な回路を示す。
【図４】図４は、一実施形態における第４の例示的な回路を示す。
【図５】図５は、実施形態における例示的な方法を示す。
【図６】図６は、一実施形態における第５の例示的な回路を示す。
【図７】図７は、一実施形態における第６の例示的な回路を示す。
【発明を実施するための形態】
【００１０】
ノイズ消去は、チャネルごとに送信器で送信される送出信号のコピーに適用されてもよい。送出信号のコピーは、チャネル化され、チャネル化プロセスによって別個のチャネル成分に分割されてもよい。受信器で受信されたデジタル化された信号はまた、チャネル化され、チャネルごとに別個の信号に分割されてもよい。ノイズ消去フィルタは、所定の受信帯域内のそれぞれのチャネルに提供されてもよい。いくつかの場合では、１つ以上のノイズ消去フィルタは、所定の受信帯域内のそれらのアクティブチャネル（複数可）にのみ提供されてもよい。他の場合では、ノイズ消去フィルタ（複数可）は、すべてのチャネルに提供されるが、受信帯域内のアクティブチャネル（複数可）のみに作動されてもよい。
【００１１】
受信帯域全体の代わりにアクティブチャネルごとにノイズ消去を適用することは、ノイズ消去が適用される前にアクティブチャネルフィルタによる外部ブロッカの除去をもたらすことができる。結果として、チャネル特定のノイズ消去フィルタの適応率は、外部ブロッカの影響を受ける必要がなく、適応はいかなる外部ブロッカにかかわらず元の支障をきたさない速度で生じ得る。
【００１２】
受信帯域全体の代わりにアクティブチャネルごとにノイズ消去を適用することはまた、ノイズ消去フィルタのフィルタリング要件およびフィルタ係数またはタップの数を実質的に減少させることができる。例えば、広帯域符号分割多元接続（Ｗ−ＣＤＭＡ）信号の全帯域フィルタリングは、例えば、Ｗ−ＣＤＭＡ信号を５ＭＨｚチャネルに分割し、アクティブチャネルのみフィルタリングするなどによってチャネルごとにフィルタリングが行われるときに個別のチャネルのそれぞれより多い１００以上でないタップがフィルタリングする場合、単一のフィルタを少なくとも数十有することを必要とする場合がある。アクティブチャネルと関連付けられるフィルタのみに電力が供給される必要があるため、アクティブチャネルごとにフィルタリングするときに相当な節電が実現され得る。
【００１３】
一実施形態において、回路は、送信器と、受信器と、該受信器に結合されるアナログ／デジタル変換器（ＡＤＣ）と、該ＡＤＣに結合されるチャネライザと、受信器で受信された入力無線周波数信号のそれぞれのアクティブチャネルに対する消去フィルタとを含むことができる。それぞれの消去フィルタは、それぞれのアクティブチャネルに対するチャネライザの出力に結合されてもよい。それぞれの消去フィルタは、それぞれのアクティブ入力チャネルで送信器からのノイズを推定および消去するように構成されてもよい。いくつかの場合では、チャネライザは、デジタルダウンコンバータ（ＤＤＣ）を含むことができ、これは、ＯＦＤＭ受信器内の個別の副搬送波を抽出する直交周波数分割多重（ＯＦＤＭ）の多重変換器などのデジタルミキサまたは多相および／もしくは高速フーリエ変換の多重変換器で実装されてもよい。
【００１４】
ミキサは、受信器とＡＤＣとの間に結合されてもよい。ミキサは、入力無線周波数信号を発振信号と混合することができる。無線周波数増幅器および帯域通過フィルタは、受信器とミキサとの間に結合されてもよい。低域通過フィルタは、ミキサとＡＤＣとの間に結合されてもよい。
【００１５】
図１は、一実施形態における例示的な回路２００を示す。送信器２１５は、送出ＲＦ信号を送信することができる。受信器２２５は、入力ＲＦ信号を受信することができる。送信器２１５は、送信器２１５のアンテナを駆動するために送出信号を増幅し得るＲＦ電力増幅器２０５に結合されてもよい。第１のＡＤＣ２３０は、受信器２２５および第１のチャネライザ２７２に結合されてもよい。受信器２２５で受信された入力ＲＦ信号は、受信器信号経路２６０に沿って伝搬することができる。第２のＡＤＣ２１４は、送信器２１５および第２のチャネライザ２７１に結合されてもよい。送信器２１５で送信される送出信号は、送信器２１５で送信されることに加えて、電力増幅器２０５の出力から観察経路２５０に沿って伝搬されてもよい。
【００１６】
それぞれのチャネライザ２７１および２７２は、それぞれのＡＤＣ２１４および２３０によって出力された信号をチャネル化することができる。チャネル化中、チャネライザ２７１および２７２は、それぞれの信号をチャネルごとに別個のチャネルに分割することができる。したがって、いくつかの場合では、チャネライザ２７１および２７２は、入力ＲＦ信号帯域を有するそれぞれのチャネルに対する別個の出力を含むことができる。いくつかの場合では、チャネライザは、アクティブであるそれらのチャネルに対してチャネルごとに信号のみ出力することができる。チャネライザ２７１および２７２は、非アクティブチャネルに対する出力信号を生成する必要はない。いくつかの場合では、チャネライザ２７１および２７２は、ＤＤＣ、多相、高速フーリエ変換、および／または他の種類の多重変換器を含むことができる。
【００１７】
いくつかの場合では、消去フィルタ２４０は、入力ＲＦ信号帯域内のチャネルのそれぞれに提供されてもよい。他の場合では、消去フィルタ２４０は、信号帯域内のそれらのアクティブチャネル（複数可）にのみ提供されてもよい。それぞれの消去フィルタ２４０は、それぞれのチャネルに対する第１および第２のチャネライザ２７２および２７１の出力に結合されてもよい。それぞれの消去フィルタ２４０は、それぞれのアクティブ入力チャネルで送信器２１５からのノイズを推定および消去するように構成されてもよい。
【００１８】
それぞれの消去フィルタ２４０は、減算器２４２に結合されるフィルタステージ２４１を含むことができる。それぞれのアクティブチャネルにおける消去フィルタ２４０に対する減算器２４２は、第１のチャネライザ２７２のそれぞれのチャネル出力に結合されてもよい。それぞれのアクティブチャネルにおける消去フィルタ２４０に対するフィルタステージ２４１は、第２のチャネライザ２７１のそれぞれのチャネル出力に結合されてもよい。共通チャネルフィルタ２８０は、それぞれのアクティブチャネルに提供され、それぞれのアクティブチャネルに対する減算器２４２の出力に結合されてもよい。
【００１９】
いくつかの場合では、第１のミキサ２２８は、受信器２２５および第１のＡＤＣ２３０に結合されてもよい。第１のミキサは、入力無線周波数信号を発振源２２１からの発振信号と混合することができる。第２のミキサ２１２は、送信器２１５および第２のＡＤＣ２１４に結合されてもよい。第２のミキサ２１２は、送出信号を発振源２２１からの発振信号と混合することができる。無線周波数増幅器２２６および第１の帯域通過フィルタ２２７は、受信器２２５と第１のミキサ２２８との間に結合されてもよい。第２の帯域通過フィルタ２１１は、送信器２１５および第２のミキサ２１２に結合される。第１の低域通過フィルタ２２９は、第１のミキサ２２８および第１のＡＤＣ２３０に結合されてもよい。第２の低域通過フィルタ２１３は、第２のミキサ２１２および第２のＡＤＣ２１４に結合されてもよい。
【００２０】
図２は、チャネルフィルタリングが受信器信号経路３６０および観察信号経路３５０の両方に提供される一実施形態３００を示す。送信器３１５は、送出ＲＦ信号を送信することができる。受信器３２５は、入力ＲＦ信号を受信することができる。送信器３１５は、送信器３１５のアンテナを駆動するために送出信号を増幅し得るＲＦ電力増幅器３０５に結合されてもよい。第１のＡＤＣ３３０は、受信器３２５および第１のチャネライザ３７２に結合されてもよい。受信器３２５で受信された入力ＲＦ信号は、受信器信号経路３６０に沿って伝搬することができる。第２のＡＤＣ３１４は、送信器３１５および第２のチャネライザ３７１に結合されてもよい。送信器３１５で送信される送出信号は、送信器３１５で送信されることに加えて、電力増幅器３０５の出力から観察経路３５０に沿って伝搬されてもよい。
【００２１】
それぞれのチャネライザ３７１および３７２は、それぞれのＡＤＣ３１４および３３０によって出力された信号をチャネル化することができる。チャネル化中、チャネライザ３７１および３７２は、それぞれの信号をチャネルごとに別個のチャネルに分割することができる。したがって、いくつかの場合では、チャネライザ３７１および３７２は、入力ＲＦ信号帯域を有するそれぞれのチャネルに対する別個の出力を含むことができる。いくつかの場合では、チャネライザは、アクティブであるそれらのチャネルに対してチャネルごとに信号のみ出力することができる。チャネライザ３７１および３７２は、非アクティブチャネルに対する出力信号を生成する必要はない。いくつかの場合では、チャネライザ３７１および３７２は、ＤＤＣ、多相、高速フーリエ変換、および／または他の種類の多重変換器を含むことができる。
【００２２】
いくつかの場合では、消去フィルタ３４０は、入力ＲＦ信号帯域内のチャネルのそれぞれに提供されてもよい。他の場合では、消去フィルタ３４０は、信号帯域内のそれらのアクティブチャネル（複数可）にのみ提供されてもよい。それぞれの消去フィルタ２４０は、減算器２４２に結合されるフィルタステージ２４１を含むことができる。
【００２３】
チャネルフィルタ３８１および３８２はまた、受信器信号経路３６０および観察信号経路３５０の両方において異なるチャネルに提供されてもよい。第１のチャネルフィルタのセット３８２におけるそれぞれのチャネルフィルタは、第１のチャネライザ３７２のそれぞれのチャネル出力およびそれぞれのチャネルと関連付けられる消去フィルタ３４０のそれぞれのフィルタステージ３４１に結合されてもよい。第２のチャネルフィルタのセット３８１におけるそれぞれのチャネルフィルタは、第２のチャネライザ３７１のそれぞれのチャネル出力およびそれぞれのチャネルに対する消去フィルタ３４０のそれぞれの減算器３４２に結合されてもよい。それぞれの消去フィルタ３４０は、それぞれのアクティブ入力チャネルで送信器３１５からのチャネルフィルタリングされたノイズを推定および消去するように構成されてもよい。
【００２４】
いくつかの場合では、第１のミキサ３２８は、受信器３２５および第１のＡＤＣ３３０に結合されてもよい。第１のミキサは、入力無線周波数信号を発振源３２１からの発振信号と混合することができる。第２のミキサ３１２は、送信器３１５および第２のＡＤＣ３１４に結合されてもよい。第２のミキサ３１２は、送出信号を発振源３２１からの発振信号と混合することができる。無線周波数増幅器３２６および第１の帯域通過フィルタ３２７は、受信器３２５と第１のミキサ３２８との間に結合されてもよい。第２の帯域通過フィルタ３１１は、送信器３１５および第２のミキサ３１２に結合される。第１の低域通過フィルタ３２９は、第１のミキサ３２８および第１のＡＤＣ３３０に結合されてもよい。第２の低域通過フィルタ３１３は、第２のミキサ３１２および第２のＡＤＣ３１４に結合されてもよい。
【００２５】
いくつかの場合では、推定器３９１は、チャネルフィルタ３８１および３８２の出力に結合されてもよい。推定器３９１は、それぞれのチャネル（複数可）上のチャネルフィルタ３８１および３８２からのフィルタリングされた信号に基づいてチャネルのうちの１つ以上の新しいフィルタ係数を推定するように構成されてもよい。推定器３９１は、最小平均平方、最小二乗、反復最小二乗、最小二乗平均、または他のアルゴリズムなどの推定アルゴリズムを使用して、これらのフィルタ係数を推定することができる。フィルタ係数は、受信器および／または送信器がオフラインであるか、ちょうど始動するか、または他のときなど、所定の間隔または他の所定のイベントで定期的に推定されてもよい。推定器３９１は、それぞれのアクティブチャネルに対する係数推定値に基づいてそれぞれのアクティブチャネルのフィルタステージ３４１におけるフィルタに対する更新されたフィルタ係数を生成することができる。それぞれのフィルタステージ３４１は、チャネライザ３７１からの出力が複素数値であり得るため、非対称周波数応答および複素フィルタ係数を有することができる。
【００２６】
いくつかの場合では、比較器３９２は、推定器３９１に結合されてもよい。比較器３９２は、観察信号経路３５０上の送出信号および受信器信号経路３６０上の入力信号の二乗平均平方根（ＲＭＳ）電力を比較するための論理を含むことができる。いくつかの場合では、比較器３９２は、受信器信号経路３６０上の入力信号の電力を所定の最大値または送出信号の対応する電力と比較することができる。比較器３９２はまた、入力信号の電力が所定の最大値未満であるか、または入力および送出信号の比較された電力値の差が閾値を超えるときに、最小平均平方フィルタ係数の推定器３９１を作動させるための論理を含むことができる。比較器３９２による推定器３９１の作動は、チャネルのうちの少なくとも１つのフィルタステージ３４１に対する更新されたフィルタ係数を生成するように推定器３９１を動作させることができる。消去フィルタ３４０は、フィルタステージ３４１におけるフィルタに対するフィルタ係数および更新されたフィルタ係数を記憶するメモリ３４３を含むことができる。
【００２７】
図３は、一実施形態における例示的なハイブリッド回路４００を示す。第１のＡＤＣ４３０は、他の図と同様の受信器（図示せず）および第１のチャネライザ４７２に結合されてもよい。 受信器で受信された入力ＲＦ信号は、受信器信号経路４６０に沿って伝搬することができる。第２のＡＤＣ４１４は、他の図と同様の送信器（図示せず）および第２のチャネライザ４７１に結合されてもよい。送信される送出信号は、送信されることに加えて観察経路４５０に沿って伝搬されてもよい。
【００２８】
それぞれのチャネライザ４７１および４７２は、それぞれのＡＤＣ４１４および４３０によって出力された信号をダウンコンバートおよび／またはチャネル化することができる。チャネル化中、チャネライザ４７１および４７２は、それぞれの信号をチャネルごとに別個のチャネルに分割することができる。したがって、いくつかの場合では、チャネライザ４７１および４７２は、入力ＲＦ信号帯域を有するそれぞれのチャネルに対する別個の出力を含むことができる。いくつかの場合では、チャネライザは、アクティブであるそれらのチャネルに対してチャネルごとに信号のみ出力することができる。チャネライザ４７１および４７２は、非アクティブチャネルに対する出力信号を生成する必要はない。いくつかの場合では、チャネライザ４７１および４７２は、ＤＤＣ、多相、高速フーリエ変換、および／または他の種類の多重変換器を含むことができる。
【００２９】
２種類の消去フィルタ４４５および４４０が提供されてもよい。全帯域消去フィルタ４４５は、第２のＡＤＣ４１４、第２のチャネライザ４７１、および減算器４４７に結合されてもよい。減算器４４７はまた、第１のＡＤＣ４３０および第１のチャネライザ４７１に結合されてもよい。推定器３９１などの推定器を含み得る全帯域フィルタ適応ユニット４４６は、全帯域消去フィルタ４４５に対する更新されたフィルタ係数を計算するために使用されてもよい。全帯域フィルタ適応ユニット４４６はまた、受信器信号経路４６０に、いくつかの場合では、減算器４４７と第１のチャネライザ４７２との間に結合されてもよい。
【００３０】
チャネル特定の消去フィルタ４４０は、入力ＲＦ信号帯域内のチャネルのそれぞれに提供されてもよい。他の場合では、チャネル特定の消去フィルタ４４０は、信号帯域内のそれらのアクティブチャネル（複数可）にのみ提供されてもよい。それぞれの消去フィルタ４４０は、それぞれのチャネルに対する第１および第２のチャネライザ４７２および４７１の出力に結合されてもよい。それぞれの消去フィルタ４４０は、それぞれのアクティブ入力チャネルで送信器ノイズを推定および消去するように構成されてもよい。
【００３１】
それぞれの消去フィルタ４４０は、減算器４４２に結合されるフィルタステージ４４１を含むことができる。それぞれのアクティブチャネルにおける消去フィルタ４４０に対する減算器４４２は、第１のチャネライザ４７２のそれぞれのチャネル出力に結合されてもよい。それぞれのアクティブチャネルにおける消去フィルタ４４０に対するフィルタステージ４４１は、第２のチャネライザ４７１のそれぞれのチャネル出力に結合されてもよい。共通フィルタ４８０は、それぞれのアクティブチャネルに提供され、それぞれのアクティブチャネルに対する減算器４４２の出力に結合されてもよい。
【００３２】
チャネルフィルタ適応ユニット４９０は、第２のチャネライザ４７１のそれぞれのチャネル出力、それぞれのフィルタステージ４４１、ならびにそれぞれのチャネルに対する減算器４４２および／または共通フィルタ４８０に結合されてもよい。チャネルフィルタ適応ユニット４９０は、上述のように同じ機能性を提供する推定器３９１および／または比較器３９２を含むことができる。全帯域およびチャネル消去フィルタ４４５および４４０は、フィルタ４４５および４４０に対するフィルタ係数および更新されたフィルタ係数を記憶するメモリを含むことができる。
【００３３】
全帯域およびチャネル消去フィルタ４４５および４４０は、全帯域フィルタ４４５のみ、チャネルフィルタ４４０のみ、またはフィルタ４４５および４４０の両方を使用する選択肢を提供するために、フィルタ４４５および４４０のそれぞれを選択的に有効および無効にするように構成される制御ユニット４９５に結合されてもよい。制御ユニット４９５は、アクティブチャネルが信号帯域の１つの隣接する領域にわたって集中され得るか、または信号絶縁特性が送信器ノイズを絶縁する多数のフィルタ係数を必要とする複雑なフィルタリングを必要としない状況で全帯域フィルタ４４５を選択するように構成されてもよい。
【００３４】
制御ユニット４９５は、アクティブチャネルが信号帯域にわたって隣接せずに拡散され、送信器ノイズを絶縁する多数のフィルタ係数を必要とする領域に位置する状況でチャネルフィルタ４４０を選択するように構成されてもよい。チャネルフィルタ４４０と全帯域フィルタ４４５とを切り替えるように制御ユニット４９５を構成することは、低次全帯域フィルタ４４５が上述される低複雑性領域に使用され、チャネル化されたフィルタ４４０が高複雑性のアクティブチャネルにのみ適用される状況で改善された性能をもたらすことができる。
【００３５】
全帯域フィルタ４４５およびチャネルフィルタ４４０のフィルタ係数は、それぞれの適応ユニット４４６および４９０によって更新されてもよい。これらの適応ユニット４４６および４９０における係数更新プロセスは、異なる間隔で行われてもよい。例えば、全帯域フィルタ４４５のフィルタ係数は、いくつかの場合では、１回のみ構成されてもよいが、チャネルフィルタ４４０のフィルタ係数は、一非限定的な例では、受信された入力信号の主電力レベルが十分に低いかまたはいくつかの他の基準を満たすときなど、回路４００が起動されるたびにまたは別の定期ごとに構成されてもよい。
【００３６】
いくつかの場合では、第１のミキサ４２８は、受信器および第１のＡＤＣ４３０に結合されてもよい。第１のミキサ４２８は、入力無線周波数信号を発振源４２１からの発振信号と混合することができる。第２のミキサ４１２は、送信器および第２のＡＤＣ４１４に結合されてもよい。第２のミキサ４１２は、送出信号を発振源４２１からの発振信号と混合することができる。無線周波数増幅器４２６および第１の帯域通過フィルタ４２７は、受信器と第１のミキサ４２８との間に結合されてもよい。第２の帯域通過フィルタ４１１は、送信器４１５および第２のミキサ４１２に結合される。第１の低域通過フィルタ４２９は、第１のミキサ４２８および第１のＡＤＣ４３０に結合されてもよい。第２の低域通過フィルタ４１３は、第２のミキサ４１２および第２のＡＤＣ４１４に結合されてもよい。
【００３７】
図４は、一実施形態における多重送受信器の交差結合されたノイズ消去回路を示す。この例では、２つの送受信器の対のみがそれぞれの交差結合された回路５０１および５０２に示されるが、他の実施形態は追加の送信器および／または受信器を含んでもよい。回路５０１および５０２はそれぞれ、類似の構成要素を含んでもよい。
【００３８】
例えば、それぞれの回路５０１および５０２は、送出ＲＦ信号を送信する送信器５１５と、入力ＲＦ信号を受信する受信器５２５とを含むことができる。それぞれの送信器５１５は、送信器５１５のアンテナを駆動するために送出信号を増幅し得るＲＦ電力増幅器５０５に結合されてもよい。それぞれの回路５０１および５０２は、その受信器５２５に結合される第１のＡＤＣ５３０を含むことができる。それぞれの受信器５２５で受信された入力ＲＦ信号は、それぞれの受信器信号経路５６０に沿って伝搬することができる。それぞれの回路５０１および５０２は、そのそれぞれの送信器５１５に結合される第２のＡＤＣ５１４を含むことができる。それぞれの送信器５１５で送信される送出信号は、そのそれぞれの送信器５１５で送信されることに加えて、電力増幅器５０５の出力からそれぞれの観察経路５５０に沿って伝搬されてもよい。
【００３９】
いくつかの場合では、それぞれの回路５０１および５０２は、本実施形態に含まれる受信器のそれぞれに対する消去フィルタステージ５４１〜５４４を含むことができる。例えば、図４が２つの受信器を含むため、送信器５１５のそれぞれは、２つの消去フィルタステージ５４１〜５４２および５４３〜５４４を有することができる。異なる数の受信器を有する他の場合では、フィルタステージの数は、それに応じて調節される。フィルタステージ５４１〜５４４のそれぞれはまた、それぞれの減算器５５１〜５５４およびその対応する第２のＡＤＣ５１４に結合されてもよい。
【００４０】
フィルタステージ５４１〜５４４のそれぞれは、フィルタステージ５４１〜５４４が結合される送信器５１５の間の送信器ノイズ、ならびにそれぞれの受信器５２５で受信された入力信号のうちのそれぞれの１つを推定および消去するように構成されてもよい。したがって、フィルタステージ５４１およびその減算器５５１は、回路５０１内の送信器５１５からの送信器ノイズを回路５０１の受信器５２５で受信された入力信号から減少させるように構成されてもよい。フィルタステージ５４２およびその減算器５５２は、回路５０１内の送信器５１５からの送信器ノイズを回路５０２の受信器５２５で受信された入力信号から減少させるように構成されてもよい。フィルタステージ５４３およびその減算器５５３は、回路５０２内の送信器５１５からの送信器ノイズを回路５０１の受信器５２５で受信された入力信号から減少させるように構成されてもよい。フィルタステージ５４４およびその減算器５５４は、回路５０２内の送信器５１５からの送信器ノイズを回路５０２の受信器５２５で受信された入力信号から減少させるように構成されてもよい。
【００４１】
回路５０１内の低域通過フィルタ５３１は、回路５０１のＡＤＣ５３０ならびにフィルタステージ５４１および５４３の減算器５５１および５５３に結合されてもよい。回路５０２内の低域通過フィルタ５３１は、回路５０２のＡＤＣ５３０ならびにフィルタステージ５４２および５４４の減算器５５２および５５４に結合されてもよい。
【００４２】
いくつかの場合では、回路５０１および５０２は、その受信器５２５およびその第１のＡＤＣ５３０に結合される第１のミキサ５２８を含むことができる。第１のミキサは、入力無線周波数信号を発振源５２１からの発振信号と混合することができる。回路５０１および５０２は、そのそれぞれの送信器５１５および第２のＡＤＣ５１４に結合される第２のミキサ５１２を含むことができる。第２のミキサ５１２は、送出信号を発振源５２１からの発振信号と混合することができる。回路５０１および５０２は、そのそれぞれの受信器５２５と第１のミキサ５２８との間に結合される無線周波数増幅器５２６および第１の帯域通過フィルタ５２７を含むことができる。回路５０１および５０２は、そのそれぞれの送信器５１５および第２のミキサ５１２に結合される第２の帯域通過フィルタ５１１を含むことができる。回路５０１および５０２は、そのそれぞれの第１のミキサ５２８および第１のＡＤＣ５３０に結合される第１の低域通過フィルタ５２９を含むことができる。回路５０１および５０２は、第２のミキサ５１２および第２のＡＤＣ５１４に結合される第２の低域通過フィルタ５１３を含むことができる。
【００４３】
整合モジュール５６５は、それぞれの回路５０１および５０２内の１つ以上のフィルタステージ５４１と第２のＡＤＣ５１４との間に結合されてもよい。整合モジュール５６５は、対応する受信された入力信号からの送信器ノイズを消去するために、遅延を追加するか、または別の方法で送出信号を受信された入力信号と時間的に整合するように構成されてもよい。
【００４４】
送出および入力信号がそれぞれのチャネライザによってチャネル化されるか、他の回路が信号をチャネルごとに分割するように構成される場合では、フィルタステージ５４１〜５４４および減算器５５１〜５５４のそれぞれは、チャネルのそれぞれに提供されてもよい。いくつかの場合では、チャネライザは、ＤＤＣ、多相、高速フーリエ変換、および／または他の種類の多重変換器を含むことができる。したがって、入力信号の信号帯域がｎ個のチャネルを含む場合、ｎ個のチャネルのそれぞれに対するフィルタステージ５４１および減算器５５１のｎ個のコピー、ｎ個のチャネルのそれぞれに対するフィルタステージ５４２および減算器５５２のｎ個のコピー、ｎ個のチャネルのそれぞれに対するフィルタステージ５４３および減算器５５３のｎ個のコピー、およびｎ個のチャネルのそれぞれに対するフィルタステージ５４４および減算器５５４のｎ個のコピーがあってもよい。したがって、交差結合されたノイズ消去回路の変化は、他の図に示され、かつ本明細書に論述されるノイズフィルタチャネル化配列を含むことができる。
【００４５】
いくつかの場合では、図４に示されるものなどの多重送受信器ノイズ消去回路は、ｎが２つ以上である、回路２００、３００、５０１、および／または５０２に類似するｎ個の数の回路を含むことができる。これらの回路のそれぞれは、それぞれのアクティブチャネルに対する同じｎ個の数の消去フィルタを含むことができる。それぞれのアクティブチャネルに対するｎ個の消去フィルタのフィルタステージのそれぞれは、それぞれの回路に対する第２のチャネライザのそれぞれのチャネル出力に結合されてもよい。それぞれのアクティブチャネルに対するそれぞれの消去フィルタの減算器は、１〜ｎ個の回路のそれぞれに対するそれぞれの回路に対する第１のチャネライザのそれぞれのチャネル出力に結合されてもよい。
【００４６】
一実施形態におけるノイズ消去回路はまた、それぞれがアナログ／デジタル変換器（ＡＤＣ）およびそれぞれのチャネライザに結合される、２つ以上の受信器を含むことができる。ノイズ消去回路はまた、それぞれがアナログ／デジタル変換器（ＡＤＣ）およびそれぞれのチャネライザにも結合される、２つ以上の送信器を含むことができる。ノイズ消去回路はまた、少なくとも１つの消去フィルタが送信器チャネライザおよび受信器チャネライザのそれぞれの間に結合される、複数の消去フィルタを含むことができる。
【００４７】
図５は、一実施形態における例示的なプロセスを示す。ボックス６０１では、入力受信ＲＦ信号および送出ＲＦ送信信号が発振信号と混合されてもよい。
【００４８】
ボックス６０２では、混合された信号のそれぞれがデジタル化されてもよい。
【００４９】
ボックス６０３では、デジタル化された信号のそれぞれがデジタル処理でダウンコンバートされてもよい。
【００５０】
ボックス６０４では、デジタル化された信号のそれぞれは、チャネル化されるか、またはチャネルごとにそれぞれのチャネル成分に分割されてもよい。いくつかの場合では、デジタル化された信号は、デジタルダウンコンバージョンプロセスの一部としてチャネル化されてもよい。
【００５１】
ボックス６０５では、ノイズ消去フィルタは、チャネル化されたダウンコンバート信号の識別されたアクティブチャネルにのみ適用されてもよい。別個のノイズ消去フィルタがそれぞれのチャネルに提供されてもよい。
【００５２】
ボックス６０６では、チャネルフィルタは、ノイズ消去フィルタを適用する前にチャネル化されたダウンコンバート信号のそれぞれに適用されてもよい。チャネルフィルタは、低域通過フィルタ、帯域通過フィルタ、または他のフィルタであってもよい。
【００５３】
ボックス６０７では、入力信号の二乗平均平方根（ＲＭＳ）電力は、送出信号の電力と比較されてもよい。
【００５４】
ボックス６０８では、チャネルフィルタリングされた入力および送出ダウンコンバート信号の最小平均平方誤差は、比較されたＲＭＳ電力の差が閾値を超えるときにそれぞれのチャネルに対して計算されてもよい。
【００５５】
ボックス６０９では、少なくとも１つのチャネルに提供されるノイズ消去フィルタに対するフィルタ係数は、計算された最小平均平方誤差に基づいて更新されてもよい。
【００５６】
図６は、全帯域フィルタ７９１のフィルタ係数がサブバンドに基づいて適応される一実施形態７００を示す。送信器７１５は、送出ＲＦ信号を送信することができる。受信器７２５は、入力ＲＦ信号を受信することができる。送信器７１５は、送信器７１５のアンテナを駆動するために送出信号を増幅し得るＲＦ電力増幅器７０５に結合されてもよい。第１のＡＤＣ７３０は、受信器７２５、チャネルサブバンド適応ユニット７９３、および減算器７４２に結合されてもよい。受信器７２５で受信された入力ＲＦ信号は、受信器信号経路７６０に沿って伝搬することができる。第２のＡＤＣ７１４は、送信器７１５、チャネルサブバンド適応ユニット７９３、および全帯域ノイズ消去フィルタ７９１に結合されてもよい。全帯域フィルタ７９１は、減算器７４２およびＡＤＣ７１４に結合されてもよい。減算器７４２は、全帯域フィルタ７９１によって出力された推定されたノイズをデジタル化された受信入力信号から減算することができる。送信器７１５で送信される送出信号は、送信器７１５で送信されることに加えて、電力増幅器７０５の出力から観察経路７５０に沿って伝搬されてもよい。
【００５７】
チャネルサブバンド適応ユニット７９３は、受信された入力信号のサブバンドのうちの１つ以上のフィルタ係数を推定することができる。サブバンドは、指定された全信号帯域のあらゆる細区分を含むことができ、１つ以上のチャネルまたはこれらのサブ部分を含むことができる。サブバンドに基づいてフィルタ係数を推定することによって、推定は、アクティブチャネルまたはサブバンドにのみ行われる必要があってもよい。これは、指定された信号帯域に現れる他のソースからの外部ブロッカまたは信号を含み得る非アクティブチャネル上のフィルタ係数を推定する必要性を回避する。したがって、チャネルサブバンド適応ユニット７９３は、その解析をそれらのアクティブチャネルのみに限定することによって外部ブロッカの影響を排除することができる。これは、推定プロセスの精度および収束時間を改善する。次いで、適応ユニット７９３に結合されるサブバンド／全帯域シンセサイザ７９２は、サブバンド適応ユニット７９３によって行われるそれぞれのサブバンドに対する個別推定値から全信号帯域に対する推定されたフィルタ係数を再構築することができる。
【００５８】
いくつかの場合では、チャネルサブバンド適応ユニット７９３は、周波数領域適応フィルタ７９４を含むことができる。周波数領域適応フィルタ７９４は、周波数領域内のそれぞれのサブバンドに対する係数を推定することによって適応を行うことができる。異なるサブバンドは、特定の周波数範囲に相当する異なるビンに割り当てられてもよい。異なるサブバンドに対するビンは、それぞれのサブバンドに対する推定値によって別に重みをかけられてもよい。外部ブロッカは、それに応じて外部ブロッカの周波数範囲に相当するビンに重みをかけることによって拒否されてもよい。
【００５９】
それぞれのサブバンドの推定された係数は、デジタル化された受信入力信号を送信器７１５で送信されたデジタル化された送出信号と比較することに基づいてもよい。この比較をするために、サブバンド適応ユニット７９３は、受信器経路７６０内のＡＤＣ７３０、次いで観察経路７５０内のＡＤＣ７１４の両方に結合されてもよい。次に、１つ以上のサブバンドに対する推定された係数は、それぞれのサブバンドを独立して適応するために使用されてもよい。いくつかの場合では、この適応はリアルタイムで生じ得るが、他の場合では、推定および適応が遅延させられてもよい。いくつかの場合では、１つ以上のサブバンドの適応は、受信器が入力信号を全く受信していないとき、または非リアルタイムの期間にオフラインで生じ得る。
【００６０】
チャネルサブバンド適応ユニット７９３は、最小平均平方、最小二乗、反復最小二乗、最小二乗平均、または他の推定アルゴリズムなどの推定アルゴリズムを使用することができる。フィルタ係数は、受信器７２５および／または送信器７１５がオフラインであるか、ちょうど始動するか、または他のときなど、所定の間隔または他の所定のイベントで定期的に推定されてもよい。チャネルサブバンド適応ユニット７９３の推定器は、それぞれのサブバンドに対する推定に基づいてそれぞれのサブバンドに対する更新されたフィルタ係数推定値を生成することができる。推定器は、一度に１つのサブバンドを連続的に、または一度に２つ以上のサブバンドを並行してそれぞれのサブバンドに対する推定値を計算することができる。全帯域フィルタ７９１は、ＡＤＣ７１４からの出力が複素数値であり得るため、非対称周波数応答および複素フィルタ係数を有することができる。
【００６１】
いくつかの場合では、チャネルサブバンド適応ユニット７９３は、観察信号経路７５０上の送出信号および受信器信号経路７６０上の入力信号の二乗平均平方根（ＲＭＳ）電力を比較するための論理を有する比較器を含むことができる。いくつかの場合では、比較器は、受信器信号経路７６０上の入力信号の電力を所定の最大値または送出信号の対応する電力と比較することができる。比較器はまた、入力信号の電力が所定の最大値未満であるとき、または入力および送出信号の比較された電力値の差が閾値を超えるときにチャネルサブバンド適応ユニット７９３内の推定器を作動させるための論理を含むことができる。比較器による推定器の作動は、１つ以上のチャネルまたは受信された入力信号のサブバンドに対する更新された推定値を生成するように推定器を動作させることができる。
【００６２】
サブバンド／全帯域シンセサイザ７９２は、サブバンド適応ユニット７９３および全帯域フィルタ７９１に結合されてもよい。シンセサイザ７９２は、サブバンドのそれぞれに対する推定されたフィルタ係数を全帯域に対するフィルタ係数に変換することができる。したがって、全帯域に対するフィルタ係数は、シンセサイザ７９２によってそれぞれのサブバンドに対して計算される個別の係数から再構成されてもよい。チャネルのすべてが更新された時点で、シンセサイザ７９２で生成された全帯域に対するフィルタ係数は、全帯域フィルタ７９１においてフィルタ係数を設定するために使用されてもよい。これは、全帯域フィルタ７９１に対するフィルタ係数がデジタルフロントエンドから独立してノイズ消去を改善するために更新されることを可能にし、独自のカスタマイズされた信号処理機能を入力受信信号に適用することを望むユーザが独自のデジタルフロントエンドを接続することによってそのようにすることができるようにする。
【００６３】
サブバンド適応ユニット７９３が周波数領域適応フィルタ７９４を含んだ場合では、シンセサイザ７９２は、逆高速フーリエ変換（ＩＦＦＴ）モジュール７９５を含むことができる。ＩＦＦＴモジュール７９５は、アクティブサブバンドに対応するそれぞれのビンに対する周波数領域内の推定された係数を時間領域内の全信号帯域に対するフィルタ係数のセットに変換することができる。周波数領域適応フィルタ７９４およびＩＦＦＴモジュール７９５を使用することは、異なるサブバンド間の直交性を保つことによって全帯域フィルタ係数を再構成するのに必要とされる計算の複雑性を減少させることができる。
【００６４】
いくつかの場合では、第１のミキサ７２８は、受信器７２５および第１のＡＤＣ７３０に結合されてもよい。第１のミキサは、入力無線周波数信号を発振源７２１からの発振信号と混合することができる。第２のミキサ７１２は、送信器７１５および第２のＡＤＣ７１４に結合されてもよい。第２のミキサ７１２は、送出信号を発振源７２１からの発振信号と混合することができる。無線周波数増幅器７２６および第１の帯域通過フィルタ７２７は、受信器７２５と第１のミキサ７２８との間に結合されてもよい。第２の帯域通過フィルタ７１１は、送信器７１５および第２のミキサ７１２に結合される。第１の低域通過フィルタ７２９は、第１のミキサ７２８および第１のＡＤＣ７３０に結合されてもよい。第２の低域通過フィルタ７１３は、第２のミキサ７１２および第２のＡＤＣ７１４に結合されてもよい。
【００６５】
図７は、全帯域フィルタ８９１のフィルタ係数がサブバンドに基づいて適応される一実施形態８００を示す。送信器８１５は、送出ＲＦ信号を送信することができる。受信器８２５は、入力ＲＦ信号を受信することができる。送信器８１５は、送信器８１５のアンテナを駆動するために送出信号を増幅し得るＲＦ電力増幅器８０５に結合されてもよい。第１のＡＤＣ８３０は、受信器８２５、チャネライザ８７２、および減算器８４２に結合されてもよい。受信器８２５で受信された入力ＲＦ信号は、受信器信号経路８６０に沿って伝搬することができる。第２のＡＤＣ８１４は、送信器８１５、チャネライザ８７２、および全帯域ノイズ消去フィルタ８９１に結合されてもよい。全帯域フィルタ８９１は、減算器８４２およびＡＤＣ８１４に結合されてもよい。減算器８４２は、全帯域フィルタ８９１によって出力された推定されたノイズをデジタル化された受信入力信号から減算することができる。送信器８１５で送信される送出信号は、送信器８１５で送信されることに加えて、電力増幅器８０５の出力から観察経路８５０に沿って伝搬されてもよい。
【００６６】
チャネライザ８７２は、それぞれのＡＤＣ８１４および８３０によって出力された信号をダウンコンバートおよび／またはチャネル化することができる。チャネル化中、チャネライザ８７２は、それぞれの信号を別個のサブバンドに分割することができ、これは、必要ではないが１つ以上のチャネルを含むことができる。いくつかの場合では、チャネライザ８７２は、入力ＲＦ信号帯域内のそれぞれの指定されたサブバンドに対する別個の出力を含むことができる。いくつかの場合では、チャネライザ８７２は、アクティブであるそれらのサブバンドに対してサブバンドごとに信号のみ出力することができる。それぞれのサブバンドに対する信号は、一度に、または並行して１つのサブバンドを連続的に出力されてもよい。それぞれのサブバンドに対する信号がチャネライザ８７２によって連続的に出力される場合では、チャネライザ８７２は、直列化されたデジタルダウンコンバータと、チャネルコアフィルタとを含むことができる。チャネライザ８７２は、非アクティブチャネルに対する出力信号を生成する必要がない。いくつかの場合では、チャネライザ８７２は、ＤＤＣ、多相、高速フーリエ変換、および／または他の種類の多重変換器を含むことができる。
【００６７】
いくつかの場合では、１つ以上のバッファ８６５は、チャネライザ８７２の入力および／または出力に結合されてもよい。バッファ８６５は、チャネライザ８７２への入力として供給される受信器信号経路７６０および観察信号経路７５０上にデジタル化された信号のコピーを一時的に記憶することができる。バッファ８６５はまた、チャネライザ８７２および／またはバッファ８６５に結合されるチャネルサブバンド適応器８９３への入力として後で使用されるチャネライザ８７２によって出力されたチャネル化された信号のコピーを一時的に記憶することができる。バッファ８６５は、チャネライザ８７２が一度に１つのサブバンドに対する信号を出力するように構成される点においてチャネライザ８７２が連続的に動作する場合に使用されてもよい。バッファ８６５はまた、遅延を追加するか、または別の方法で受信器信号経路８６０から生じるバッファリングされた信号を観察信号経路８５０から生じる対応するバッファリングされた信号と時間的に整合するように構成され得る整合モジュールも含むことができる。次いで、整合モジュールは、信号がノイズ消去目的に対して互いに対応することができても、異なる時間にチャネライザ８７２によって出力された直列信号を時間的に整合することができる。
【００６８】
チャネライザ８７２および／またはバッファ８６５は、チャネルサブバンド適応ユニット８９３に結合されてもよい。チャネルサブバンド適応ユニット８９３は、チャネライザ８７２によって出力された受信された入力信号のサブバンドのそれぞれのノイズ消去フィルタのフィルタ係数を推定することができる。サブバンドは、指定された全信号帯域のあらゆる細区分を含むことができ、１つ以上のチャネルまたはこれらのサブ部分を含むことができる。サブバンドに基づいてフィルタ係数を推定することによって、推定計算は、それらのアクティブチャネルまたはサブバンドにのみ行われてもよい。これは、指定された信号帯域に現れる他のソースからの外部ブロッカまたは信号を含み得る非アクティブチャネルを解析する必要性を回避する。したがって、チャネルサブバンド適応ユニット８９３は、アクティブチャネルのみ解析することによって外部ブロッカのあらゆる影響を排除することができる。これは、全帯域ノイズ消去フィルタに対するフィルタ係数生成プロセスの精度および収束時間を改善する。次に、サブバンド適応ユニット８９３に結合されるサブバンド／全帯域シンセサイザ８９２は、サブバンド適応ユニット８９３によって行われるそれぞれのサブバンドの個別の推定されたフィルタ係数から全帯域係数を再構築することによって全信号帯域に対する推定されたフィルタ係数を再構築することができる。
【００６９】
いくつかの場合では、チャネルサブバンド適応ユニット８９３は、周波数領域適応フィルタ７９４を含むことができる。周波数領域適応フィルタ７９４は、周波数領域内のそれぞれのサブバンドに対するフィルタ係数を推定することによって適応を行うことができる。異なるサブバンドは、特定の周波数範囲に相当する異なるビンに割り当てられてもよい。異なるサブバンドに対するビンは、それぞれのサブバンドに対する推定値によって別に重みをかけられてもよい。外部ブロッカは、それに応じて外部ブロッカの周波数範囲に相当するビンに重みをかけることによって拒否されてもよい。
【００７０】
それぞれのサブバンドに対する推定されたフィルタ係数は、デジタル化された受信入力信号を送信器８１５で送信されたデジタル化された送出信号と比較することに基づいてもよい。この比較をするために、サブバンド適応ユニット８９３は、受信器経路８６０内のＡＤＣ８３０、次いでチャネライザ８７２を介する観察経路８５０内のＡＤＣ８１４の両方に結合されてもよい。次に、１つ以上のサブバンドに対する推定値は、それぞれのサブバンドを独立して適応するフィルタ係数を生成するために使用されてもよい。いくつかの場合では、この適応はリアルタイムで生じ得るが、他の場合では、推定および適応が遅延させられてもよい。いくつかの場合では、１つ以上のサブバンドの適応は、受信器が入力信号を全く受信していないとき、または非リアルタイムの期間にオフラインで生じ得る。
【００７１】
チャネルサブバンド適応ユニット８９３は、最小平均平方、最小二乗、反復最小二乗、最小二乗平均、またはフィルタ係数を推定する他の推定アルゴリズムなどの推定アルゴリズムを使用することができる。係数は、受信器８２５および／または送信器８１５がオフラインであるか、ちょうど始動するか、または他のときなど、所定の間隔または他の所定のイベントで定期的に推定されてもよい。チャネルサブバンド適応ユニット８９３の推定器は、それぞれのサブバンドに対する推定値に基づいてそれぞれのサブバンドに対する更新されたフィルタ係数を生成することができる。  推定器は、一度に１つのサブバンドを連続的に、または一度に２つ以上のサブバンドを並行してそれぞれのサブバンドに対する推定値を計算することができる。全帯域フィルタ８９１は、ＡＤＣ８１４からの出力が複素数値であり得るため、非対称周波数応答および複素フィルタ係数を有することができる。
【００７２】
いくつかの場合では、チャネルサブバンド適応ユニット８９３は、観察信号経路８５０上の送出信号および受信器信号経路８６０上の入力信号の二乗平均平方根（ＲＭＳ）電力を比較するための論理を有する比較器を含むことができる。いくつかの場合では、比較器は、受信器信号経路８６０に関する入力信号の電力を所定の最大値または送出信号の対応する電力と比較することができる。比較器はまた、入力信号の電力が所定の最大値未満であるとき、または入力および送出信号の比較された電力値の差が閾値を超えるときにチャネルサブバンド適応ユニット８９３内の推定器を作動させるための論理を含むことができる。比較器による推定器の作動は、１つ以上のチャネルまたは受信された入力信号のサブバンドに対する更新されたフィルタ係数の推定値を生成するように推定器を動作させることができる。
【００７３】
サブバンド／全帯域シンセサイザ８９２は、サブバンド適応ユニット８９３および全帯域フィルタ８９１に結合されてもよい。シンセサイザ８９２は、サブバンドのそれぞれに対する推定されたフィルタ係数の推定値を全帯域に対する推定された係数に変換することができる。したがって、全帯域に対する推定された係数は、シンセサイザ８９２によってそれぞれのサブバンドに対して計算される個別の係数から再構成されてもよい。チャネルのすべてが更新された時点で、全帯域に対する生成された係数は、全帯域フィルタ８９１においてフィルタ係数を設定するために使用されてもよい。これは、全帯域フィルタ８９１に対するフィルタ係数がデジタルフロントエンドから独立してノイズ消去を改善するために更新されることを可能にし、独自のカスタマイズされた信号処理機能を入力受信信号に適用することを望むユーザが独自のデジタルフロントエンドを接続することによってそのようにすることができるようにする。
【００７４】
サブバンド適応ユニット８９３が周波数領域適応フィルタ７９４を含んだ場合では、シンセサイザ８９２は、逆高速フーリエ変換（ＩＦＦＴ）モジュール７９５を含むことができる。ＩＦＦＴモジュール７９５は、アクティブサブバンドに対応するそれぞれのビンに対する周波数領域内の推定された係数を時間領域内の全信号帯域に対する係数に変換されてもよい。周波数領域適応フィルタ７９４およびＩＦＦＴモジュール７９５を使用することは、異なるサブバンド間の直交性を保つことによって全帯域フィルタ係数を再構成するのに必要とされる計算の複雑性を減少させることができる。
【００７５】
いくつかの場合では、第１のミキサ８２８は、受信器８２５および第１のＡＤＣ８３０に結合されてもよい。第１のミキサは、入力無線周波数信号を発振源８２１からの発振信号と混合することができる。第２のミキサ８１２は、送信器８１５および第２のＡＤＣ８１４に結合されてもよい。第２のミキサ８１２は、送出信号を発振源８２１からの発振信号と混合することができる。無線周波数増幅器８２６および第１の帯域通過フィルタ８２７は、受信器８２５と第１のミキサ８２８との間に結合されてもよい。第２の帯域通過フィルタ８１１は、送信器８１５および第２のミキサ８１２に結合される。第１の低域通過フィルタ８２９は、第１のミキサ８２８および第１のＡＤＣ８３０に結合されてもよい。第２の低域通過フィルタ８１３は、第２のミキサ８１２および第２のＡＤＣ８１４に結合されてもよい。
【００７６】
前述の説明は、図解および説明の目的のために提示された。それは、包括的ではなく、実施形態を開示される正確な形態に限定しない。上記教示に照らして修正および変形が可能であり、本明細書に記載される実施形態と一致する実施形態を実践することから得られてもよい。例えば、いくつかの実施形態では、入力および送出信号のチャネル化は、デジタルダウンコンバータによって行われてもよいが、他の場合では、チャネル化は、ダウンコンバージョンから独立して行われてもよい。加えて、いくつかの実施形態では、送信器および受信器は、独自のアンテナで互いに独立してもよいが、他の実施形態では、送信器および受信器は、トランシーバの一部であり、および／またはディプレクサを介して単一のアンテナに結合されてもよい。最終的に、いくつかの場合では、それぞれのチャネルの帯域幅は、特定の通信規格によって規定されるものに基づいてもよいが、他の場合では、チャネル化は、通信規格によって決定されるあらゆるチャネル帯域幅から独立してカスタマイズされたサブバンドに基づいて適用されてもよい。例えば、第三世代のセルラーＷ−ＣＤＭＡ規格は、ディプレクサの複雑性に応じて帯域を５ＭＨｚチャネルに分割するが、外部ブロッカの存在または他の基準のノイズフィルタ消去は、この規格によって決定される５ＭＨｚチャネルとは異なるチャネル化されたサブバンドに基づいて適用されてもよい。
【符号の説明】
【００７７】
２００  回路
２０５  電力増幅器
２１１  第２の帯域通過フィルタ
２１２  第２のミキサ
２１３  第２の低域通過フィルタ
２１４  第２のＡＤＣ
２１５  送信器
２２１  発振源
２２５  受信器
２２６  無線周波数増幅器
２２７  第１の帯域通過フィルタ
２２８  第１のミキサ
２２９  第１の低域通過フィルタ
２３０  第１のＡＤＣ
２４０  消去フィルタ
２４１  フィルタステージ
２４２  減算器
２５０  観察経路
２６０  受信器信号経路
２７１  第２のチャネライザ
２７２  第１のチャネライザ
２８０  共通チャネルフィルタ
３００  回路
３０５  電力増幅器
３１１  第２の帯域通過フィルタ
３１２  第２のミキサ
３１３  第２の低域通過フィルタ
３１４  第２のＡＤＣ
３１５  送信器
３２１  発振源
３２５  受信器
３２６  無線周波数増幅器
３２７  第１の帯域通過フィルタ
３２８  第１のミキサ
３２９  第１の低域通過フィルタ
３３０  第１のＡＤＣ
３４０  消去フィルタ
３４１  フィルタステージ
３４２  減算器
３４３  メモリ
３５０  観察経路
３６０  受信器信号経路
３７１  第２のチャネライザ
３７２  第１のチャネライザ
３８１、３８２  チャネルフィルタ
３９１  推定器
３９２  比較器
４００  ハイブリッド回路
４１１  第２の帯域通過フィルタ
４１２  第２のミキサ
４１３  第２の低域通過フィルタ
４１４  第２のＡＤＣ
４２１  発振源
４２７  第１の帯域通過フィルタ
４２８  第１のミキサ
４２９  第１の低域通過フィルタ
４３０  第１のＡＤＣ
４４０  消去フィルタ
４４１  フィルタステージ
４４２  減算器
４４５  全帯域フィルタ
４４６  全帯域フィルタ適応ユニット
４４７  減算器
４５０  観察経路
４６０  受信器信号経路
４７１  第２のチャネライザ
４７２  第１のチャネライザ
４８０  共通フィルタ
４９０  チャネルフィルタ適応ユニット
４９５  制御ユニット
５０１、５０２  回路
５０５  電力増幅器
５１１  第２の帯域通過フィルタ
５１２  第２のミキサ
５１３  第２の低域通過フィルタ
５１４  第２のＡＤＣ
５１５  送信器
５２１  発振源
５２５  受信器
５２６  無線周波数増幅器
５２７  第１の帯域通過フィルタ
５２８  第１のミキサ
５２９  第１の低域通過フィルタ
５３０  第１のＡＤＣ
５３１  低域通過フィルタ
５４１  フィルタステージ
５４１〜５４４  消去フィルタステージ
５５０  観察経路
５５１〜５５４  減算器
５６０  受信器信号経路
５６５  整合モジュール
７０５  電力増幅器
７１１  第２の帯域通過フィルタ
７１２  第２のミキサ
７１３  第２の低域通過フィルタ
７１４  第２のＡＤＣ
７１５  送信器
７２１  発振源
７２５  受信器
７２６  無線周波数増幅器
７２７  第１の帯域通過フィルタ
７２８  第１のミキサ
７２９  第１の低域通過フィルタ
７３０  第１のＡＤＣ
７４２  減算器
７５０  観察信号経路
７６０  受信器信号経路
７９１  全帯域フィルタ
７９２  全帯域シンセサイザ
７９３  チャネルサブバンド適応ユニット
７９４  周波数領域適応フィルタ
７９５  ＩＦＦＴモジュール
８０５  電力増幅器
８１１  第２の帯域通過フィルタ
８１２  第２のミキサ
８１３  第２の低域通過フィルタ
８１４  第２のＡＤＣ
８１５  送信器
８２１  発振源
８２５  受信器
８２６  無線周波数増幅器
８２７  第１の帯域通過フィルタ
８２８  第１のミキサ
８２９  第１の低域通過フィルタ
８３０  第１のＡＤＣ
８４２  減算器
８５０  観察信号経路
８６０  受信器信号経路
８６５  バッファ
８７２  チャネライザ
８９１  全帯域フィルタ
８９２  全帯域シンセサイザ
８９３  チャネルサブバンド適応器
【図１】
2014179986.tif 000003
【図２】
2014179986.tif 000004
【図３】
2014179986.tif 000005
【図４】
2014179986.tif 000006
【図５】
2014179986.tif 000007
【図６】
2014179986.tif 000008
【図７】
2014179986.tif 000009
【外国語明細書】
2014179986000001.pdf